(57)【要約】【課題】コンテンツのダウンロード中に、予め設定された少なくとも１つのマルチメディアデータを出力することにより、コンテンツのダウンロードが完了するまでの待機時間を効率的に利用でき、ユーザの利便性を向上させる。【解決手段】コンテンツをダウンロード可能な移動通信端末機は、コンテンツのダウンロード中に出力する少なくとも１つのマルチメディアデータを保存するメモリと、コンテンツのダウンロード予想時間が所定の基準時間以上であると、前記保存されているマルチメディアデータの出力を制御する少なくとも１つの制御信号を出力する制御部と、出力された制御信号に基づいて前記保存されているマルチメディアデータを出力する少なくとも１つの出力装置と、を含む。【選択図】図２
2007049706.tif 000002
【特許請求の範囲】
【請求項１】
コンテンツのダウンロード中に出力する少なくとも１つのマルチメディアデータを保存するメモリと、
コンテンツのダウンロード予想時間が所定の基準時間以上であると、前記保存されているマルチメディアデータの出力を制御する少なくとも１つの制御信号を出力する制御部と、
前記制御信号に基づいて前記保存されているマルチメディアデータを出力する少なくとも１つの出力装置と、
を含んで構成されることを特徴とするコンテンツをダウンロード可能な移動通信端末機。
【請求項２】
前記マルチメディアデータが、オーディオデータ、テキストデータ、イメージデータ、及びビデオデータのいずれかであることを特徴とする請求項１に記載の移動通信端末機。
【請求項３】
前記メモリが、前記マルチメディアデータをグループ化して保存することを特徴とする請求項１に記載の移動通信端末機。
【請求項４】
前記制御部が、前記メモリに保存されているグループを順次又はランダムに出力するように制御することを特徴とする請求項３に記載の移動通信端末機。
【請求項５】
前記制御部が、前記メモリに保存されているグループを前記ダウンロード予想時間に応じて選択的に出力するように制御することを特徴とする請求項３に記載の移動通信端末機。
【請求項６】
前記制御部は、コンテンツのダウンロードが完了したときに、出力が途中で終了した前記マルチメディアデータがあるとそのグループを記憶しておき、その後のコンテンツダウンロード時に、当該記憶したグループから出力するように制御することを特徴とする請求項３に記載の移動通信端末機。
【請求項７】
前記出力装置として、第１制御信号に従ってオーディオデータを出力するオーディオ処理部、及び第２制御信号に従ってテキストデータ、イメージデータ及びビデオデータの少なくとも１つを出力するディスプレイ部のいずれか一方又は両方を含むことを特徴とする請求項１に記載の移動通信端末機。
【請求項８】
前記ディスプレイ部が、その上部分にテキストデータ、イメージデータ、及びビデオデータの少なくとも１つを出力し、その下部分にコンテンツのダウンロード進行状況を出力することを特徴とする請求項７に記載の移動通信端末機。
【請求項９】
前記基準時間が、ユーザにより予め設定されることを特徴とする請求項１に記載の移動通信端末機。
【請求項１０】
前記制御部が、コンテンツのダウンロードが完了すると、前記マルチメディアデータの出力を終了し、所定の終了音及びメッセージの少なくとも一方を出力するように制御することを特徴とする請求項１に記載の移動通信端末機。
【請求項１１】
携帯電話、ＰＤＡ（Personal Digital Assistants）、ノートブックコンピュータ、又はＰＭＰ（Portable Multimedia Player）であることを特徴とする請求項１に記載の移動通信端末機。
【請求項１２】
コンテンツのダウンロード中に出力する少なくとも１つのマルチメディアデータを保存する段階と、
コンテンツのダウンロード予想時間が所定の基準時間以上であると、前記保存してあるマルチメディアデータの出力を制御する少なくとも１つの制御信号を出力する段階と、
前記制御信号に基づいて前記保存してあるマルチメディアデータを出力する段階と、
を含んで構成されることを特徴とする移動通信端末機のコンテンツダウンロード方法。
【請求項１３】
前記マルチメディアデータが、オーディオデータ、テキストデータ、イメージデータ、及びビデオデータのいずれかであることを特徴とする請求項１２に記載の移動通信端末機のコンテンツダウンロード方法。
【請求項１４】
前記マルチメディアデータを保存する段階は、
前記マルチメディアデータをグループ化して保存することを特徴とする請求項１２に記載の移動通信端末機のコンテンツダウンロード方法。
【請求項１５】
前記保存してあるマルチメディアデータを出力する段階で、
前記グループを順次又はランダムに出力することを特徴とする請求項１４に記載の移動通信端末機のコンテンツダウンロード方法。
【請求項１６】
前記保存してあるマルチメディアデータを出力する段階で、
前記グループを前記ダウンロード予想時間に応じて選択的に出力することを特徴とする請求項１４に記載の移動通信端末機のコンテンツダウンロード方法。
【請求項１７】
コンテンツのダウンロードが完了したときに、出力が途中で終了した前記マルチメディアデータがあるとそのグループを記憶する段階をさらに含むことを特徴とする請求項１４に記載の移動通信端末機のコンテンツダウンロード方法。
【請求項１８】
前記マルチメディアデータを出力する段階は、
第１制御信号に従って前記オーディオデータを出力する段階、及び第２制御信号に従って前記テキストデータ、イメージデータ及びビデオデータの少なくとも１つを出力する段階のいずれか一方又は両方を含むことを特徴とする請求項１３に記載の移動通信端末機のコンテンツダウンロード方法。
【請求項１９】
コンテンツのダウンロード予想時間を計算し、該計算したダウンロード予想時間と前記基準時間とを比較する段階をさらに含むことを特徴とする請求項１２に記載の移動通信端末機のコンテンツダウンロード方法。
【請求項２０】
前記制御信号を出力する段階は、
前記ダウンロード予想時間が前記基準時間以上であると、前記マルチメディアデータが保存されているか否かを判断し、前記マルチメディアデータが保存されていると、少なくとも１つの制御信号を出力することを特徴とする請求項１２に記載の移動通信端末機のコンテンツダウンロード方法。
【請求項２１】
前記基準時間が、ユーザにより予め設定されることを特徴とする請求項１２に記載の移動通信端末機のコンテンツダウンロード方法。
【請求項２２】
コンテンツのダウンロードが完了すると、前記マルチメディアデータの出力を終了し、所定の終了音及びメッセージの少なくとも一方を出力する段階をさらに含むことを特徴とする請求項１２に記載の移動通信端末機のコンテンツダウンロード方法。
【発明の詳細な説明】
【技術分野】
【０００１】
本発明は移動通信端末機に関し、特に、ユーザの利便性を向上させた、コンテンツをダウンロード可能な移動通信端末機及びそのコンテンツダウンロード方法に関する。
【背景技術】
【０００２】
一般に、移動通信端末機は、基地局により形成されるサービスエリア内で移動しながら、ＭＳＣ（Mobile Switching Center）のスイッチング制御により、いつどこでも直ちに相手を無線呼出及び無線接続して通信できる装置であって、最近では、大型ディスプレイ装置を装着した移動通信端末機の開発が活発に行われている。
【０００３】
現在の移動通信端末機には、通信機能の他に、実生活に応用されて利便性を向上させ、通信の活用性を高める多様な付加サービスが開発されて提供されている。このような付加サービスは、（１）オンラインゲーム、携帯インターネットサービス、ＶＯＤ（Video On Demand）機能、ファイルダウンロード機能などの無線インターネットオンラインサービス、（２）チャット、インスタントメッセージ、ショートメッセージ、マルチメディアメッセージ、電子メールなどの各種メッセージ機能、（３）音声通話、テレビ電話などの通話機能、（４）動画、静止画撮像などのカメラ機能、（５）スケジューラ、電話帳検索、電卓、メモ帳、通話録音、通話録画、端末機状態設定、カレンダー検索、ワールドタイム表示、アラーム設定、動画像や音楽ファイルの再生などの各種付加機能等を含む。
【０００４】
ユーザは、中でも特にオンラインサービスによって移動通信端末機に、ＭＰ３などの比較的低容量のコンテンツをダウンロードできるだけでなく、ミュージックビデオやゲームなどの大容量のコンテンツもダウンロードできるようになってきており、これら低容量又は大容量のコンテンツをダウンロードするときには、当該コンテンツのダウンロード進行状況が移動通信端末機のディスプレイ部に出力される。
【発明の開示】
【発明が解決しようとする課題】
【０００５】
コンテンツをダウンロード可能な従来の移動通信端末機は、ユーザにより選択されたコンテンツをダウンロードするとき、その選択されたコンテンツのダウンロード進行状況だけ出力（表示）するため、容量の大きいコンテンツの場合、コンテンツのダウンロードが完了するまでの待機時間が長くてユーザを退屈させるという改善点があった。
【０００６】
本発明は、このような技術背景に鑑みてなされたもので、コンテンツのダウンロード中に予め設定された少なくとも１つのマルチメディアデータを出力することにより、コンテンツのダウンロードが完了するまでの待機時間を効率的に利用でき、ユーザの利便性を向上させた、コンテンツをダウンロード可能な移動通信端末機及び移動通信端末機のコンテンツダウンロード方法を提供することを目的とする。
【課題を解決するための手段】
【０００７】
上記の目的を達成するために、本発明によるコンテンツをダウンロード可能な移動通信端末機は、コンテンツのダウンロード中に出力する少なくとも１つのマルチメディアデータを保存するメモリと、コンテンツのダウンロード予想時間が所定の基準時間以上であると、前記保存されているマルチメディアデータの出力を制御する少なくとも１つの制御信号を出力する制御部と、前記制御信号に基づいて前記保存されているマルチメディアデータを出力する少なくとも１つの出力装置と、を含んで構成されることを特徴とする。
【０００８】
また、上記の目的を達成するために、本発明による移動通信端末機のコンテンツダウンロード方法は、コンテンツのダウンロード中に出力する少なくとも１つのマルチメディアデータを保存する段階と、コンテンツのダウンロード予想時間が所定の基準時間以上であると、前記保存済マルチメディアデータの出力を制御する少なくとも１つの制御信号を出力する段階と、前記制御信号に基づいて前記保存済マルチメディアデータを出力する段階と、を含んで構成されることを特徴とする。
【発明の効果】
【０００９】
本発明によるコンテンツをダウンロード可能な移動通信端末機及びコンテンツダウンロード方法は、コンテンツのダウンロード中に予め設定された少なくとも１つのマルチメディアデータを出力することにより、コンテンツのダウンロードが完了するまでの待機時間を効率的に利用でき、ユーザの利便性を向上できるという効果がある。
【発明を実施するための最良の形態】
【００１０】
以下、コンテンツのダウンロード中に予め設定された少なくとも１つのマルチメディアデータを出力することにより、コンテンツのダウンロードが完了するまでの待機時間を効率的に利用でき、ユーザの利便性を向上させた、本発明による移動通信端末機及びコンテンツダウンロード方法の好ましい実施形態について添付の図面を参照して説明する。本発明の実施形態においては、コンテンツのダウンロード中にマルチメディアデータを出力する場合を説明するが、本発明は、これに限定されるものではなく、コンテンツのダウンロード中に提供できる全ての付加サービスを適用できる。
【００１１】
図１は、移動通信端末機にコンテンツを提供することの可能な移動通信システムを示す構成図である。
【００１２】
当該移動通信システムは、移動通信端末機１００と無線インターネットで接続するウェブサーバ２００と、該ウェブサーバ２００に接続した移動通信端末機１００のブラウザ表示に従ってユーザが選択したコンテンツを提供するダウンロードサーバ３００と、を含み、移動通信端末機１００は、ダウンロードサーバ３００からコンテンツをダウンロードしながら、予め保存している少なくとも１つのマルチメディアデータを出力する機能をもつ。すなわち移動通信端末機１００は、コンテンツをダウンロードするとき、予め保存されている少なくとも１つのマルチメディアデータを出力することができる。
【００１３】
以下、携帯電話、ＰＤＡ（Personal Digital Assistants）、ノートブックコンピュータ、ＰＭＰ（Portable Multimedia Player）などの本発明に係る移動通信端末機について図２を参照して説明する。図２は移動通信端末機１００の要部構成を示したブロック図である。
【００１４】
図２に示すように、本発明による移動通信端末機は、送受信部１１０と、入力部１５０と、コンテンツダウンロード中に出力する予め設定された少なくとも１つのマルチメディアデータを少なくとも保存するメモリ１４０と、コンテンツのダウンロード予想時間を計算し、該計算したダウンロード予想時間が予め設定してある所定の基準時間以上であると、保存されているマルチメディアデータの出力を制御する少なくとも１つ、本例では２つの制御信号を出力する制御部１３０と、そのうちの第１制御信号に従ってオーディオデータを出力（再生）するオーディオ処理部１２０と、第２制御信号に従って、出力中のオーディオデータに対応するテキストデータ、イメージデータ、及びビデオデータの少なくとも１つを予め設定された領域に出力（表示）するディスプレイ部１６０と、を含む。
【００１５】
以下、このような構成を含む移動通信端末機のコンテンツダウンロード方法について、図３Ａ及び図３Ｂを参照して説明する。図３Ａ及び図３Ｂは移動通信端末機のコンテンツダウンロード方法を示すフローチャートである。
【００１６】
図３Ａ及び図３Ｂに示すように、本発明によるコンテンツダウンロード方法は、ユーザによりダウンロードするコンテンツが選択されて、当該選択されたコンテンツをダウンロードする段階（Ｓ３１０）と、選択コンテンツのダウンロード予想時間を計算する段階（Ｓ３２０）と、その計算したダウンロード予想時間と所定の基準時間とを比較する段階（Ｓ３３０）と、比較の結果、ダウンロード予想時間が基準時間以上であると、コンテンツのダウンロード中に出力するよう予め設定されたマルチメディアデータがあるか否かを判断する段階（Ｓ３４０）と、そのマルチメディアデータがあれば、少なくとも１つ、本例では２つの制御信号を出力する段階（Ｓ３５０）と、第１制御信号に従いオーディオデータを出力する段階（Ｓ３６０）と、第２制御信号に従い、出力中のオーディオデータに対応するテキストデータ、イメージデータ、及びビデオデータの少なくとも１つを出力する段階（Ｓ３７０）と、コンテンツのダウンロードが完了したか否かを確認する段階（Ｓ３８０）と、コンテンツのダウンロードが完了すると、マルチメディアデータの出力を終了し、予め設定されている終了音及びメッセージの少なくとも一方を出力する段階（Ｓ３９０）と、を含む。
【００１７】
以下、より詳細に説明する。
【００１８】
コンテンツをダウンロードする移動通信端末機１００は、コンテンツのダウンロード中に出力する少なくとも１つのマルチメディアデータを、グループ単位でメモリ１４０に予め保存することができる。そのグループのマルチメディアデータは、オーディオデータ、テキストデータ、イメージデータ、ビデオデータなどとすることが可能である。このような、マルチメディアデータのグループを設定する方法について図４を参照して説明する。
【００１９】
図４は、マルチメディアデータのグループを設定する方法を説明するための図である。図４に示すように、本例の移動通信端末機は、グループ設定メニューを表示し、これにより少なくとも１つのグループを設定することができ、当該グループは、１以上のマルチメディアデータを割り当て可能である。例えば、第１グループはオーディオデータとテキストデータ、第２グループはオーディオデータとイメージデータ、第３グループはビデオデータ、第４グループはオーディオデータとテキストデータ、という４つのグループをそれぞれ設定できる。
【００２０】
また、移動通信端末機は、たとえばグループ設定メニューのサブメニューで、選択されたグループを出力する仕方を多様な方式から選択することができる。たとえば、グループを順次又はランダムに出力するように設定したり、コンテンツのダウンロード予想時間に応じて選択的に出力するように設定することができる。具体例としては、移動通信端末機は、ダウンロード予想時間が１分未満の場合に第１グループ、第２グループ、第４グループをランダムに出力し、ダウンロード予想時間が１分以上の場合に、再生時間が相対的に長いビデオデータを含む第３グループを出力するように設定できる。
【００２１】
制御部１３０は、ユーザの操作に従って移動通信端末機が無線インターネットでウェブサーバ２００に接続し、ブラウザに情報を表示して、ダウンロードサーバ３００にあるダウンロード可能なコンテンツを選択できるように制御する（Ｓ３１０）。
【００２２】
コンテンツが選択されると制御部１３０は、選択コンテンツのダウンロード予想時間を計算し（Ｓ３２０）、算出したダウンロード予想時間と予め設定されている基準時間とを比較する（Ｓ３３０）。例えば、制御部１３０は、データレートに基づいてコンテンツのダウンロード予想時間を計算でき、基準時間は、ユーザにより予め設定するようになっていることが好ましい。
【００２３】
次に、制御部１３０は、ダウンロード予想時間が基準時間以上であると、コンテンツのダウンロード中に出力するよう予め設定されたマルチメディアデータがあるか否かを判断する（Ｓ３４０）。一方、ダウンロード予想時間が基準時間未満であると、コンテンツのダウンロードを開始し、ディスプレイ部１６０に、当該コンテンツのダウンロード進行状況を表示する。
【００２４】
次に、制御部１３０は、ステップＳ３４０でダウンロード中に出力するよう設定されたマルチメディアデータがあると、本例では第１及び第２制御信号を出力する（Ｓ３５０）。例えば、制御部１３０は、オーディオデータがある場合は、オーディオ処理部１２０を制御するための第１制御信号を出力し、テキストデータ、イメージデータ、又はビデオデータがある場合は、ディスプレイ部１６０を制御するための第２制御信号を出力する。
【００２５】
オーディオ処理部１２０は、第１制御信号に従って、オーディオデータを出力（再生）し（Ｓ３６０）、ディスプレイ部１６０は、第２制御信号に従って、テキストデータ、イメージデータ、及びビデオデータの少なくとも１つを予め設定された領域に出力（表示）する（Ｓ３７０）。好ましい例では、テキストデータ、イメージデータ、及びビデオデータの少なくとも１つをディスプレイ部１６０の上部分に出力し、コンテンツのダウンロード進行状況をディスプレイ部１６０の下部分に出力する。
【００２６】
これに限らず、ディスプレイ部１６０は、マルチメディアデータを多様なパターンで出力することができる。たとえば、テキストデータ、イメージデータ、又はビデオデータを出力するとき、コンテンツのダウンロード進行状況を出力せず、テキストデータ、イメージデータ、又はビデオデータだけをディスプレイ部１６０に全体的に表示して、視覚的な効果を極大化することもできる。
【００２７】
以下、このようなコンテンツダウンロードの動作例について図５Ａ及び図５Ｂを参照して説明する。図５Ａ及び図５Ｂは、本発明によるコンテンツダウンロード動作を説明するための図である。
【００２８】
図５Ａ及び図５Ｂに示すように、本発明によるコンテンツをダウンロード可能な移動通信端末機１００は、ダウンロード中、オーディオ処理部１２０によりオーディオデータを出力すると同時に、当該オーディオデータに対応するテキストデータ（例えば、歌のタイトルや歌詞など）をディスプレイ部１６０に出力できる。
【００２９】
また、本発明によるコンテンツをダウンロード可能な移動通信端末機１００は、オーディオ処理部１２０によりオーディオデータを出力すると同時に、当該オーディオデータに対応するテキストデータだけでなく、イメージデータ（例えば、写真など）やビデオデータ（例えば、動画など）を出力することもできる。
【００３０】
その後、制御部１３０は、コンテンツのダウンロードが完了したか否かを確認し（Ｓ３８０）、ダウンロードが完了すると、マルチメディアデータの出力を終了し、所定の終了音及びメッセージの少なくとも１つを出力する（Ｓ３９０）。終了音は遠くにいるユーザにコンテンツのダウンロードが完了したことを認知させるためのものであり、このような終了音及びメッセージは多様な形態で出力できる。
【００３１】
また、制御部１３０は、コンテンツのダウンロードが完了すると、当該ダウンロード中に使ったマルチメディアデータのグループを記憶しておき、その後、該記憶グループから出力するように設定することもできる。例えば、図４において、コンテンツのダウンロードが完了するまでに第１、第２、第３グループの出力が完了し、第４グループの出力途中でダウンロードが終了した場合、その後のコンテンツダウンロード時には、第４グループ（の始め）から出力することができる。
【図面の簡単な説明】
【００３２】
【図１】移動通信端末機にコンテンツを提供可能な移動通信システムを示す構成図。
【図２】本発明によるコンテンツをダウンロード可能な移動通信端末機の要部構成を示したブロック図。
【図３Ａ】本発明による移動通信端末機のコンテンツダウンロード方法を示すフローチャート。
【図３Ｂ】図３Ａに続くフローチャート。
【図４】本発明による移動通信端末機で、マルチメディアデータのグループを設定する方法を説明するためのディスプレイ部分の図。
【図５Ａ】本発明による移動通信端末機でコンテンツをダウンロードしているときのディスプレイ部分の表示例を示した図。
【図５Ｂ】本発明による移動通信端末機でコンテンツをダウンロードしているときのディスプレイ部分の他の表示例を示した図。
【符号の説明】
【００３３】
１００  移動通信端末機
１１０  送受信部
１２０  オーディオ処理部
１３０  制御部
１４０  メモリ
１５０  入力部
１６０  ディスプレイ部
２００  ウェブサーバ
３００  ダウンロードサーバ
【図１】
2007049706.tif 000003
【図２】
2007049706.tif 000004
【図３Ａ】
2007049706.tif 000005
【図３Ｂ】
2007049706.tif 000006
【図４】
2007049706.tif 000007
【図５Ａ】
2007049706.tif 000008
【図５Ｂ】
2007049706.tif 000009